(57)【要約】      （修正有）【課題】レジスター台でカートを使用している時は、買物かごの商品が重い時でも、この重い買物かごをカートからレジスターへ、そしてレジスターからカートに移し替える必要があり危険である。【解決手段】レジスター台を左かご乗せレジスター台6、中央レジスター台2、右かご乗せレジスター台5に分け、それぞれのレジスター台との間にカート10が入るスペースを開けカート10に買物かご9を乗せたままカート10からカート10へ商品8の精算が出来るレジスター台。【選択図】図７
2015052867.tif 000002
【特許請求の範囲】
【請求項１】
レジスター台を3分割し、真中に中央レジスター台を置き、中央レジスター台の両側にカートが入るスペースを開けて左側かご乗せレジスター台、及び右側かご乗せレジスター台を設置し、左側かご乗せレジスター台、右側かご乗せレジスター台の上面部にはそれぞれ、回転蓋が乗せられていて、回転蓋は蝶番で中央側がそれぞれのかご乗せレジスター台の上端内側部に組み付けられ、蝶番を軸に回転できるように構成され、前記回転蓋は左側かご乗せレジスター台、右側かご乗せレジスター台の上面と同じ大きさで構成され上面部に折りたためるものであり、回転蓋を起こし、起こした回転蓋の先端部を中央レジスター台の上部肩部に形成された蓋受けに載せて保持でき回転蓋の開閉により回転蓋をそれぞれのかご乗せレジスター台の上面に折りたたんで乗せることも、かご乗せレジスター台と中央レジスター台とに掛け渡す事も出来るように構成されている、ことを特徴とする3分割レジスター台。
【請求項２】
左側かご乗せレジスター台、右側かご乗せレジスター台の回転蓋を開き回転蓋の先端部を中央レジスター台上部両肩部の蓋受けに乗せ中央レジスター台とつなぎ、カートの入るスペースをふさぐと、それぞれのかご乗せレジスター台の上面、中央レジスター台の上面
及び回転蓋の上面は同一平面を形成するように構成されている、ことを特徴とする請求項１記載の3分割レジスター台。
【請求項３】
レジスター台を3分割し、真中に中央レジスター台を置き、中央レジスター台の両側にカートが入るスペースを開けて左側かご乗せレジスター台、及び右側かご乗せレジスター台を設置し、左側かご乗せレジスター台、右側かご乗せレジスター台の上面部にはそれぞれ、回転蓋が乗せられていて、回転蓋は蝶番で中央側がそれぞれのかご乗せレジスター台の上端内側部に組み付けられ、蝶番を軸に回転できるように構成され、前記回転蓋は左側かご乗せレジスター台、右側かご乗せレジスター台の上面と同じ大きさで構成され上面部に折りたためるものであり、回転蓋を起こし、起こした回転蓋の先端部を中央レジスター台の上部肩部に形成された蓋受けに載せて保持でき、回転蓋の開閉により、回転蓋をそれぞれのかご乗せレジスター台の上面に折りたたんで乗せ一方のかご乗せレジスター台との間に商品が入った買物かごが乗せられたカートを入れ、他方のかご乗せレジスター台と中央レジスター台との間に空の買物かごを乗せたカートを入れることが出来、回転蓋をかご乗せレジスター台と中央レジスター台とに掛け渡す事も出来るように構成されている、ことを特徴とする3分割レジスター台。
【請求項４】
買物かごの側面のプレート中央にC型をしたジョイントを組み付け、カートに乗せた買物かごをカートに設けた丸型のかご受けパイプにジョイントを押し付けかご受けパイプをくわえ、かご受けパイプを軸にジョイントの回転機能で買物かごを回転出来る仕組みになっていて、カート収納時、買物かごを回転させると買物かごと買物かごが重なり買物かごをカートに乗せたままカートを収納できることを特徴とする請求項3記載の3分割レジスター台。
【請求項５】
商品の入った買物かごからレジ係が商品を精算しながら空の買物かごに移していく時、レジ係が商品を直接買物袋に入れていけるように空の買物かごに買物袋をかぶせ、買物袋の口を開き、商品が入れやすくなるように空の買物かごの縦上縁部に買物袋の開口部の一方をかぶせて口を開き、商品を入れた時買物袋の口が閉じないように買物かごの横上縁部に鍵溝を設け、買物袋の一方の口を開き挟むことが出来るようにしておき、鍵溝は買物袋の大きさによって2ヵ所の位置に設けられ買物袋を挟むことが出来、鍵溝を選ぶ事で大小の買物袋に対応できる事を特徴とする請求項3又は4記載の3分割レジスター台。
【発明の詳細な説明】
【技術分野】
【０００１】
本発明はスーパーでカートを使用して買物をした時、カートに買物かごを乗せて商品を買った後、買物かごをレジスター台に乗せ替える時の大変さと、商品が重い時、危険を伴い清算済みの商品の入った買物かごのカートへの乗せ替え、商品を買物袋への詰め替え、空いた後のカートと買物かごのかたずけを解消する3分割レジスター台に関する。
【背景技術】
【０００２】
一般的なレジスター台構造は、例えば特許文献1に記載されているように、レジスターの横にレジスター台が設けられた構造のものである。このようなレジスター台構造では買物をすませた買物客は商品の入った買物かごをレジスターの横でレジスター台に乗せて精算を行う。レジ係りはレジスター台に置かれた買物かごから商品を一つ一つ取り出して精算し、奥側に置かれた空の買物かごに移していく。客は、精算が終了した後に、清算済みの商品が入れられた買物かごを持って買物袋に詰め替える。ここでカートを使用している買物客はカートから商品が入った買物かごをレジスター台に移し精算し、精算済みの商品の入った買物かごをカートに移しこのカートをカウンターに移動し買物かごをカウンターに移し商品を買物袋に詰め替える。
【先行技術文献】
【特許文献】
【０００３】
【特許文献１】特開2002−306293号
【発明の概要】
【発明が解決しようとする課題】
【０００４】
特許文献1に記載されているレジスター台でカートを使用している時は、買物かごの商品が重い時でも、この重い買物かごをカートからレジスターへ、そしてレジスターからカートに移し替える必要があり危険である。又お年寄りや手に障害を持つ人は買物かごの移し替えは大変である。さらに精算済みの買物かごを乗せたカートをカウンターに移動し商品を買物袋に詰め替える作業、又使用済の買物かごとカートをかたずけなければいけない作業が残る。  
【課題を解決するための手段】
【０００５】
前記の課題を解決する為の本発明に係わる3分割レジスター台は、次のような手段を採用する。
【０００６】
レジスター台を左側かご乗せレジスター台、中央レジスター台、右側かご乗せレジスター台の3分割に分け、中央にレジスター台を置き中央のレジスター台の両隣りに買物かごを乗せたカートが入るスペースを開けて、買物かごを乗せる左側かご乗せレジスター台、及び右側かご乗せレジスター台を両側に設置していることが特徴である。左側かご乗せレジスター台、及び右側かご乗せレジスター台の上面部にはそれぞれ、回転蓋が乗せられていて、回転蓋はかご乗せレジスター台の上面と同じ大きさで構成され回転蓋は中央レジスター台側の一辺がそれぞれかご乗せレジスター台の上端内側に蝶番で組みつけられ、蝶番を軸に開閉出来る仕組みになっている。回転蓋はカートの入るスペースとかご乗せレジスター台の上面と同じ大きさで構成され回転蓋をそれぞれのかご乗せレジスター台の上面部に折り畳むと中央レジスター台の両側のカートの入るスペースが空き買物かごを乗せたままカートが入れるように構成されている。
【０００７】
より具体的には、真中に置かれた中央レジスター台の、上部両肩部には両側に置かれたかご乗せレジスター台の回転蓋を受けるが蓋受けが形成されており蓋受けは回転蓋を開き回転蓋の先端を載せた時回転蓋の高さが同一面になるようにＬ形の蓋受けが構成され中央レジスター台と左側かご乗せレジスター台、右側かご乗せレジスター台の上面は同一面になりカートの入るスペースが閉じ左側かご乗せレジスター台、中央レジスター台、右側かご乗せレジスター台は回転蓋でつながり通常レジスター台に戻せる3分割レジスター台。
【０００８】
また、中央に中央レジスター台を置き中央レジスター台の左側右側にカートが出入りする為のスペースを開けて左側かご乗せレジスター台、右側かご乗せレジスター台を置き左側かご乗せレジスター台、右側かご乗せレジスター台の上部上面にはカートが出入りするスペースをふさぐ回転蓋が具備され、回転蓋は一辺を蝶番で中央側が上端内側部に組み付けられ、蝶番を軸に回転できるように構成され、前記回転蓋は左側かご乗せレジスター台、右側かご乗せレジスター台の上部上面と同じ大きさで構成され上面部に折り畳めるものであり折り畳めると中央レジスター台とそれぞれのかご乗せレジスター台の間が開きカートの入るスペースが空く仕組みになっている。中央レジスター台の上部両肩に形成された蓋受けに回転蓋を起こし先端に掛け渡すとカートの入るスペースをふさぎ左側かご乗せレジスター台、中央レジスター台、右側かご乗せレジスター台の上面は同一高さ面となり通常レジスター台になる。回転蓋をそれぞれのかご乗レジスター台の上面に折り畳んで重ねカートの入るスペースを開け商品の入った買物かごを乗せたカートを左側かご乗せレジスター台と中央レジスター台の間のスペースへ買物客が入り一方の空いたスペースに空の買物かごを乗せたカートを入れておきレジ係りが商品を精算しながら空の買物かごを乗せたカートに商品を移していき精算が終わると買物客は精算済みの買物かごを乗せたカートを引き出し、次に来た買物客は空いたスペースにカートを入れ前の買物客が残して行った買物かごを乗せたカートにレジ係りが商品を精算しながら移して行く事でカートから買物かごのレジスター台への乗せ替え、精算済みの買物かごをカートに乗せ替えること、又カートをかたずける必要のない3分割レジスター台が提供される。
【０００９】
そして、カートの両サイドのメーンパイプに組み付けたかご受けパイプの中央部にカートに買物かごを乗せた時、かご受けパイプとジョイントが同一高さになる位置に買物かごの側面中央部にＣ型をした丸型のパイプをくわえる事の出来るジョイントをかごの側面外側にネジで組み付け、カートのかご受けパイプにジョイントをくわえさせ、かご受けパイプに押しこみ、かご受けパイプを軸に買物かごがジョイントの回転機能で回転し、カートとカートを重ねる時買物かごと買物かごが重なるように買物かごを上部へ回転させカートに買物かごを組み付けたまま通常時と同じようにカートを収納できるようにする事が出来る。
【００１０】
買物袋を買物かごにかぶせた時、買物袋の口が閉じないように買物かごの横上縁部に2種類の鍵溝を設けている、1つは買物かごの横上縁部が薄い場合の鍵溝は横上縁部の横から切れ込みを入れ、２つめの鍵溝は買物かごの横上縁部が厚い場合の鍵溝は横上縁部の上から切れ込みを入れている違いがある、どちらも入口スリットは狭く内側の溝は横部に凹部に溝があり買物袋の口を挟むと外れにくい形になっており買物袋を買物かごの縦上縁部にかぶせ一方の口を入口スリットから挟むように入れると商品を入れても買物袋の口は鍵溝に挟まり閉じない仕組みになっている。又鍵溝は大小の買物袋に対応できるように買物かごの右側取っ手取り付け部と左側取っ手取り付け部との間の横上縁部の右側及び左側2ヶ所に鍵溝が設けられ買物袋の口を挟めるようになっており買物かごの縦上縁部に買物袋の口を掛け開き買物袋の大きさに合わせ一方の口を鍵溝に挟めるように構成されている。
【発明の効果】
【００１１】
本発明に係わる分割レジスター台は三分割したレジスター台に特徴がある。請求項1としてレジスター台を三分割にし真中に中央レジスター台、中央レジスター台を挟むようにカートが入るスペースを開けて左側レジスター台、右側レジスター台設置して空いたスペースに買物客が買物かごを乗せたカートを直接入れ精算が出来るようになっている、左側レジスター台、右側レジスター台の上面部にはカートが入るスペースを閉じる回転蓋を具備し、回転蓋は一辺を蝶番で組み付けられ回転蓋を中央レジスター台に掛け渡す事で通常レジスター台に戻せるようになっている。
【００１２】
請求項2、3として中央レジスター台の上部両肩部に回転蓋を受ける蓋受けに左側かご乗せレジスター台、右側かご乗せレジスター台の回転蓋を掛け渡すとレジスター台の上面は同一高さ面となり通常レジスター台になり、回転蓋をそれぞれの左側かご乗せレジスター台、右側かご乗せレジスター台の上面に折り畳むとカート使用のレジスターになり、どちらも回転蓋を開けたり、閉じたりすることで通常レジスター、カート使用レジスターに簡単に替える事が出来る。
【００１３】
請求項4として買物かごの側面のプレート中央にＣ型をしたジョイントを組み付け、カートに丸型のかご受けパイプを組み付けジョイントをかご受けパイプにくわえさせカートと買物かごを一体化させたことでカートの使用後、買物かごに組み付けたジョインの機能によってかご受けパイプを軸に回転させカートに買物かごを組み付けたまま収納でき買物かごをかたずけなくてもよく、カートを引き出すと買物かごが載っているので買物かごをカートに乗せる必要のないカート。
【００１４】
請求項5として商品の精算時、レジ係りが商品を直接、買物かごにかぶせた買物袋に移していく時、買物袋の口が開くように買物かごの横上縁部に鍵溝を設け買物袋の一方を買物かごの縦上縁部にかぶせ一方の口を鍵溝に挟んで開き鍵溝は買物袋の大きさによって２ヵ所の位置に設けられ挟めるようになっている。レジ係りが商品を精算しながら買物かごにかぶせた買物袋に入れていくので買い物客は商品を買物袋に移し替える必要なく買物かごから買物袋を取り出すだけでよい。
【００１５】
本発明はカート使用時商品を入れた買物かごの精算時、精算後カートからレジスター台へ移し替えなく買物が出来る事、さらに商品を買物袋に移し替えることもなく又、買物始めの買物かごの準備、買物終了後空の買物かごのかたずけをする事無くかいものかごとカート収納出来る事を特徴とする分割レジスター台に関する。
【図面の簡単な説明】
【００１６】
【図１】本発明に係わるレジスター台に回転蓋を蝶番で組み付け回転蓋の開閉によって通常レジスター台、カート使用レジスター台にかわる動作を示す正面図である。
【図２】本発明に係わる中央レジスター台の肩部(蓋受け)に回転蓋が掛けられている通常レジスター台の状態を示す正面図である。
【図３】本発明に係わる中央レジスター台の肩部(蓋受け)に回転蓋が掛けられている通常レジスター台のカートと買物かごの動きを示す上面図である。
【図４】本発明に係わる通常レジスター台にカートから買物かごを移し替え精算時のカートと買物かごの動きを示す通常レジスター台の上面図である。
【図５】本発明に係わるかご乗せレジスター台に組み付けた回転蓋を折り畳んで買物かごをカートに乗せカートのスペースに入れ精算時のカートの位置を示す正面図である。
【図６】本発明に係わるかご乗せレジスター台に組み付けた回転蓋を折り畳んで買物かごをカートに乗せカートのスペースに入り商品の精算時、精算後のカートの出入りの動きを示す上面図であり、右側の買物客の精算が済みカートを引き出した後の空いたスペースに次の買物客がカートを入れる動作を示す図です。
【図７】本発明に係わるかご乗せレジスター台に組み付けた回転蓋を折り畳んで買物かごをカートに乗せカートのスペースに入り商品の精算時、精算後のカートの出入りの動きを示す上面図であり、左側の買物客が精算が済みカートを引き出した後の空いたスペースに次の買物客がカートを入れる動作を示す図です。
【図８】本発明に係わるかご乗せレジスター台に組み付けた回転蓋を折り畳んで買物かごをカートに乗せカートのスペースに入り商品の精算時、精算後のカートの出入りの動きを示す上面図であり、右側の買物客が精算が済みカートを引き出した後の空いたスペースに次の買物客がカートを入れる動作を示す図です。
【図９】本発明に係わるカートのかご受けパイプに買物かごに組み付けたジョイントをくわえさせ買物かごが回転する仕組みを示す側面図である。
【図１０】本発明に係わるカートのかご受けパイプに買物かごに組み付けたジョイントをくわえさせ買物かごが回転する仕組みを示す側面の拡大図である。
【図１１】本発明に係わるカートのかご受けパイプに買物かごに組み付けたジョイントをくわえさせ買物かごが回転する仕組みを示すカートと買物かごの後面の拡大図である。
【図１２】本発明に係わるカートのかご受けパイプに買物かごに組み付けたジョイントをくわえさせ買物かごがかご受けパイプを軸に回転して買物かごとカートを収納している状態を示す側面図である。
【図１３】本発明に係わる買物かごに買物袋をかぶせ買物袋の口を鍵溝に挟み広げて商品を入れやすくした状態を示す側面図である。
【図１４】本発明に係わる横上縁部の厚い買物かごに形成された鍵溝に買物袋の口を切れ込みに挟んで商品を入れた時、買物袋の口が閉じないようにセットしている状態を示す側面の拡大図である。
【図１５】本発明に係わる横上縁部の薄い買物かごに形成された鍵溝に買物袋の口を切れ込みに挟んで商品を入れた時、買物袋の口が閉じないようにセットしている状態を示す側面の拡大図である
【発明を実施するための形態】
【００１７】
図1は本発明に係わる3分割レジスター台の回転蓋の動作を示したレジスター台の正面図である。図1のレジスター台は中央に精算機1を乗せた中央レジスター台2を備え、中央レジスター台2の上部両角には回転蓋3を閉じたときに受ける肩部(蓋受け)4が形成されている。中央レジスター台2の右側と左側に位置した右側レジスター台5、左側レジスター台6は中央レジスター台2との間にカートが入るスペースを開けて設置する。さらに、右側レジスター台5、左側レジスター台6の上面部には回転可能な回転蓋3が設けられ、回転蓋3は蝶番7 で組み付けられそれぞれ回転蓋3を開く事、折りたたむ事が出来る。中央レジスター台2側に回転蓋3を扇状に起こし、起こした回転蓋3を中央レジスター台2の上部角部の両側に設けられた肩部(蓋受け)4に先端を乗せ、右側レジスター台5、中央レジスター台2及び左側レジスター台6の上面は平らな同一高さ面となる。また回転蓋3はそれぞれ、右側レジスター台5及び左側レジスター台6 の上面に折りたたんで乗るように戻すことが出来る。
【００１８】
図2は回転蓋3 を中央レジスター台2にかけ渡した状態を示す図である。ここでは、回転蓋3は蝶番７を中心として回転し、回転蓋3の先端側がそれぞれ、中央レジスター台2の  両側の肩部(蓋受け)４に載っている。従って、回転蓋3 によりカートの入るスペース(左レジスター台6と中央レジスター台2、中央レジスター台2と右レジスター台5)をふさぎ、通常のレジスター台のように、左右の一方のレジスター台に商品8を入れた買物かご9を乗せ、他方に空の買物かご9を乗せることが出来るようになっている。                
【００１９】
図3 は図2 の通常レジスター台の状態を上面からみた図である。カート10aに乗せてきた商品8の入った買物かご9aを回転蓋3aの上に移し替えカート10a を矢印Ａ方向に移動して精算を待つ。回転蓋3bの上に用意された空の買物かご9 にレジ係り12が買物かご9aに入っている商品8を取りだし精算しながら回転蓋3b上に置かれた空の買物かご9に商品8を移していく、精算が終わると買物客11aはカート10aに買物かご9を移し替え出ていく。レジ係り12は精算が済み空いた買物かご9aを回転蓋3aから回転蓋3bに移動させる。次の買物客はカート10bに乗せてきた商品8bの入った買物かご9bをレジスター台6に移し替え前の買物客11aの精算が済むのを待つ。
【００２０】
図4では前の買物客11aの精算が終わった後レジ係り12は空いた買物かご9aを回転蓋3aから回転蓋3bに移動させる。レジスター台6に乗せて順番待っていた買物客11bはカート10bを矢印Ｂ方向に移動し商品8bの入った買物かご9bをレジスター台6から回転蓋3aの上に移動して精算を待つ、レジ係り12は回転蓋3bの上に前の買物客11aが残して行った空いた買物かご9aに商品8bを精算しながらうつしていく。買物客11bは精算が終わった買物かご9aを回転蓋3b上からカート10bに移し替え出ていく。次の買物客はカート10cに乗せてきた商品8cの入った買物かご9cをレジスター台6に移し替え前の買物客11bの精算が済むのを待つ。
【００２１】
図5は回転蓋3を左右のレジスター台に折りたたんで閉じた状態を示す図であり、図6は図5のレジスター台を上面からみた図である。図5では、回転蓋3がそれぞれ右側レジスター台5、左側レジスター台6の上に折り畳まれ中央レジスター台2の左側に買い物が終わり精算を待つ商品8が入った買物かご9を乗せたカート10が入り、他方側の開いたスペースには空の買物かご9を乗せたカート10が入っている。精算時、レジ係りが左側の商品8の入った買物かご9を乗せたカート10から 、右側のカート10 に乗せた空の買物かご9 に精算しながら商品8を移し替えていき、精算が済むと右側のカート10を買い物客が買物袋に商品8を詰め替える為カートを引き出し、(図6の矢印Ｄ)、カウンターで商品8を買物袋に詰め替えカート10をカート置き場に戻す。次に来た買物客11は右側の開いた場所に商品8の入った買物かご9を乗せたカート10を入れ(図6の矢印Ｅ)、商品8の精算を待つ。                  
【００２２】
図7は買物客のカートの別の移動の状態を示す上面図である。図6で右側に入ってきた精算を待つ商品8をレジ係り12が前に来た人が残していった左側のカート10と買物かご9に精算をしながら商品8を移し、清算が済むと買物客11はカート10を引き出す(矢印F)。 次に来た買物客11はカート10に商品8の入った買物かご9を乗せ、前に精算が済みカート10を引き出した空いている左側の場所にカート10を入れ(矢印G)、前の買い物客の精算が済み残していった右側の空の買物かご9を乗せたカート10に商品8をレジ係り12が精算しながら移していく。精算が済むと買物客8は買物かご9を乗せてきたカート10を残して前の買い物客が残していったカート10を引き出し(図8の矢印H)、商品8を買い物袋に詰め替える。 
【００２３】
図8に示すように、次に来た買物客11はカート10に商品8の入った買物かご9を乗せ、前に精算が済みカート10を引き出した空いている右側の場所にカート10を入れ( 矢印I)、前の買物客の精算が済み残していった空の買物かご9を乗せたカート10に商品8をレジ係り12が精算しながら移していく。精算が済むと買物客11は商品8を入れてきた買物かご9を乗せてきたカート10を残して前の買物客が残していったカート10を引き出し商品8を買い物袋に詰め替える。次の買物客はカートを引き出した後の空いている左側の場所にカートを入れていく事の繰り返しでカートに買物かごを乗せたまま精算が出来、買物かごをレジスター台に乗せ替える事、清算済みの商品の入ったかごをカートに移し替える事もなくカートにかごを乗せたままカウンターに運ぶ事が出来るレジスター台。
【００２４】
図9は使用済みの買物かご9をカート10に乗せたまま、カート10を重ねておける収納方法を示す側面図である。カート10のメーンパイプ13に組み付けられたかご受けパイプ14を軸に買物かご9が回転できるように構成されている。買物かご9の側面15はプレート状に形成されている。買物かご9の側面15とかご受けパイプ14との間にはジョイント16が設けられ、ジョイント16は、ネジ17で買物かご9の側面15 に取り付けられている。買物かご9の内側に裏板18を配し、買物かご9の側面15をジョイント16 の基台部19と裏板18とで挟み、ネジ17で固定する。組み付けたジョイト16のＣ型の受け口(図10参照)にかご受けパイプ14を押しこみ、ジョイント16がかご受けパイプ14をくわえ、かご受けパイプ14を軸に回転できるようにする。又、買物かご9を引っ張ると、ジョイント16の受け口が開いて買物かご9を取り外せる仕組みにもなっている。買物かご9に組み付けたジョイント16が、かご受けパイプ14を軸にジョイント16の回転機能で矢印方向に回転出来る。カート10収納時、買い物かご9を回転(矢印Ｊ)させると、買物かご9と買物かご9が重なるような向きになり、カート10と買物かご9は従来通り重ねて収納できる仕組みになっている。                
【００２５】
図10は買物かご9とかご受けパイプ14の接続部分を示す 拡大した側面図であり、図11は買物かご9とかご受けパイプ14の接続部分を示す後面図である。買物かご9の側面15と丸型のかご受けパイプ14の接続部分に買物かご9の内側に裏板18を設け、ジョイント16の基台部19を買物かご9の側面15の表側に当て裏板18にネジ17で組み付け、左右のメーンパイプ13に組み付けられたかご受けパイプ14の中央にジョイント16を押し込み、かご受けパイプ14を軸に買物かご9が回転出来、買物かご9とカート10が重なる仕組みになっている。
【００２６】
図12は使用済みのカート10に買物かご9を乗せたままの収納状態を示す側面図である。通常のカート10の収納は買物かごがない状態で重ねているが、買物かご9を乗せたままカート10を収納できるようになっている。買物かご9の側面15に組み付けたジョイト16を買物かご9と買物かご9が重なる角度にかご受けパイプ14を軸に回転させ、カート10を収納するとき買物かご9を上げながら(図9参照) 、カート10を押していくと(矢印K)、前のカート10の買物かご9の中に買物かご9が入り、カート10が収納出来る仕組みになっている。 
【００２７】
図13はカート10に乗せた買物かご9にレジ係り12が商品8を買物袋20に入れていく状態を示す側面図であり、買物かご9のそれぞれの長辺上縁部2か所に鍵溝21、鍵溝24を設けた場合を説明するための図である。図14は鍵溝21として買物袋20を挟む溝21を買物かご9の横上縁部22に設けた場合を示す拡大図であり、鍵溝21の入口スリット23を外側面から形成した場合を示す図である。又図15は鍵溝24として買物袋20を挟む鍵溝24を買物かご9の横上縁部22に設けた場合を示す拡大図であり、鍵溝24の入口スリット23を上面から形成した場合を示す図である。通常は商品8をレジ係り12が精算しながら買物かご9に入れるが、買物かご9にレジ係り12が商品8を精算しながら買物袋20に直接入れやすくする為買物袋20を広げて保持することのできる鍵溝21、鍵溝24 を付けた買物かご9を構成する。商品8の量により、買物袋20の大きさが違う為大小対応できるように、右側取っ手取り付け部25と左側取っ手取り付け部25との間の横上縁部22の右側及び左側に買物袋20の口を挟む鍵形の鍵溝21、鍵溝24を設ける。鍵溝21、鍵溝24は、買物袋20に商品8を入れた時外れないように入口スリット23から内側に延びる引っかけ凹部26を有していて、買物かご9に買物袋20をかぶせる時買物かご9の両方向から買物袋20を広げ挟めるようになっており、買物袋20を引くと鍵溝21から外れるようになっている。買物かご9の縦上縁部27に買物袋20の開口部の一方をかぶせて口を開き、買物袋20の大きさによって横上縁部22に設けた左右どちらかの鍵溝21を選んで買物袋20の開口部の一方を挟む。買物袋20は商品8を入れた時、買物かご9の縦上縁部27から開き、鍵溝21に挟まれ開かれているのでレジ係り12が商品8を買物袋20に入れやすくなっている。買物客はカート10をかたずけながら買物かご9に入っている買物袋20 を取りだす。買物客11は商品8を買物袋20に入れ替える事、又買物かごをかたずける事無く買物が済む。鍵溝21は横上縁部22が薄い場合に適し、鍵溝24は横上縁部22が厚い場合に適している。
【符号の説明】
【００２８】
1精算機
2中央レジスター台
3回転蓋
4肩部(蓋受け)
5右側レジスター台
6左側レジスター台
7蝶番
8商品
9買物かご
10カート
11買物客
12レジ係り 
13メーンパイプ 
14かご受けパイプ
15側面
16ジョイント
17ネジ
18裏板
19基台部 
20買物袋
21鍵溝
22 横上縁部
23入口スリット
24鍵溝
25取っ手取り付け部
26凹部
27 縦上縁部
【図１】
2015052867.tif 000003
【図２】
2015052867.tif 000004
【図３】
2015052867.tif 000005
【図４】
2015052867.tif 000006
【図５】
2015052867.tif 000007
【図６】
2015052867.tif 000008
【図７】
2015052867.tif 000009
【図８】
2015052867.tif 000010
【図９】
2015052867.tif 000011
【図１０】
2015052867.tif 000012
【図１１】
2015052867.tif 000013
【図１２】
2015052867.tif 000014
【図１３】
2015052867.tif 000015
【図１４】
2015052867.tif 000016
【図１５】
2015052867.tif 000017